(57)【要約】      （修正有）【課題】収納した書類などの滑落を防止するクリアホルダと、このクリアホルダを複数綴じたクリアブック並びにクリアファイルを提供する。【解決手段】概長方形の上面シート４ａと下面シート４ｂとを重ね合わせて３辺を接合し、１辺を開口させたクリアホルダ３の開口部５の辺に平行、かつ、開口部５付近に粘着・剥離の繰り返しを可能とする粘着部９を設け、開口部５の開閉を自在とする。あるいは、いずれか一方のシートの開口部側の辺に蓋部を連設させて、この蓋部と他方のシートとが接する位置に粘着部を設け、開口部の開閉を自在とする。これらのクリアホルダをクリアブックの表紙部の背表紙裏側に固定して綴じても、これらのクリアホルダに複数の綴じ穴を開けてクリアファイルの綴じ具を用いて綴じてもよい。【選択図】図２
0003139118.tif 000002
【実用新案登録請求の範囲】
【請求項１】
概長方形の上面シートと下面シートとを重ね合わせて３辺を接合し、１辺を開口させて開口部を設けたクリアホルダであって、前記上面シート及び前記下面シートの内面の前記開口部付近にある前記開口部の辺に平行な帯状領域内に、粘着および剥離の繰り返しを可能とする粘着部を設け、前記開口部の開閉を自在とすることを特徴とするクリアホルダ。
【請求項２】
概長方形の上面シートと下面シートとを重ね合わせて３辺を接合し、１辺を開口させて開口部を設けたクリアホルダであって、前記上面シート又は前記下面シートのいずれか一方の内面の前記開口部付近にある前記開口部の辺に平行な帯状領域内に、粘着および剥離の繰り返しを可能とする粘着部を設け、前記開口部の開閉を自在とすることを特徴とするクリアホルダ。
【請求項３】
概長方形の上面シートと下面シートとを重ね合わせて３辺を接合し、１辺を開口させて開口部を設けたクリアホルダであって、前記上面シート又は前記下面シートのいずれか一方の前記開口部の辺に前記開口部を覆う蓋部を連設し、前記蓋部及び他方のシートの前記蓋部が接する部分に、粘着および剥離の繰り返しを可能とする粘着部を設け、前記開口部の開閉を自在とすることを特徴とするクリアホルダ。
【請求項４】
概長方形の上面シートと下面シートとを重ね合わせて３辺を接合し、１辺を開口させて開口部を設けたクリアホルダであって、前記上面シート又は前記下面シートのいずれか一方の前記開口部の辺に前記開口部を覆う蓋部を連設し、前記蓋部に、粘着および剥離の繰り返しを可能とする粘着部を設け、前記粘着部が他方のシート表面に粘着し剥離することにより、前記開口部の開閉を自在とすることを特徴とするクリアホルダ。
【請求項５】
概長方形の上面シートと下面シートとを重ね合わせて３辺を接合し、１辺を開口させて開口部を設けたクリアホルダであって、前記上面シート又は前記下面シートのいずれか一方の前記開口部の辺に前記開口部を覆う蓋部を連設し、他方のシートの前記蓋部が接する部分に、粘着および剥離の繰り返しを可能とする粘着部を設け、前記粘着部が前記蓋部に粘着し剥離することにより、前記開口部の開閉を自在とすることを特徴とするクリアホルダ。
【請求項６】
表紙部と複数のクリアホルダとから構成されるクリアブックであって、請求項１に記載のクリアホルダの開口部の辺を除く１辺を前記表紙部の内側に固定して綴じ合わせたことを特徴とするクリアブック。
【請求項７】
表紙部と複数のクリアホルダとから構成されるクリアブックであって、請求項２に記載のクリアホルダの開口部の辺を除く１辺を前記表紙部の内側に固定して綴じ合わせたことを特徴とするクリアブック。
【請求項８】
表紙部と複数のクリアホルダとから構成されるクリアブックであって、請求項３に記載のクリアホルダの蓋部を設けた開口部の辺を除く１辺を前記表紙部の内側に固定して綴じ合わせたことを特徴とするクリアブック。
【請求項９】
表紙部と複数のクリアホルダとから構成されるクリアブックであって、請求項４に記載のクリアホルダの蓋部を設けた開口部の辺を除く１辺を前記表紙部の内側に固定して綴じ合わせたことを特徴とするクリアブック。
【請求項１０】
表紙部と複数のクリアホルダとから構成されるクリアブックであって、請求項５に記載のクリアホルダの蓋部を設けた開口部の辺を除く１辺を前記表紙部の内側に固定して綴じ合わせたことを特徴とするクリアブック。
【請求項１１】
表紙部と、表紙部の内側に設けられた綴じ具と、１以上任意個数のクリアホルダとから構成されるクリアファイルであって、請求項１に記載のクリアホルダの開口部の辺を除く１辺に綴じ穴を有する綴じ部を連設したものを、前記綴じ穴を貫通する前記綴じ具の開閉により、着脱自在とすることを特徴とするクリアファイル。
【請求項１２】
表紙部と、表紙部の内側に設けられた綴じ具と、１以上任意個数のクリアホルダとから構成されるクリアファイルであって、請求項２に記載のクリアホルダの開口部の辺を除く１辺に綴じ穴を有する綴じ部を連設したものを、前記綴じ穴を貫通する前記綴じ具の開閉により、着脱自在とすることを特徴とするクリアファイル。
【請求項１３】
表紙部と、表紙部の内側に設けられた綴じ具と、１以上任意個数のクリアホルダとから構成されるクリアファイルであって、請求項３に記載のクリアホルダの開口部の辺を除く１辺に綴じ穴を有する綴じ部を連設したものを、前記綴じ穴を貫通する前記綴じ具の開閉により、着脱自在とすることを特徴とするクリアファイル。
【請求項１４】
表紙部と、表紙部の内側に設けられた綴じ具と、１以上任意個数のクリアホルダとから構成されるクリアファイルであって、請求項４に記載のクリアホルダの開口部の辺を除く１辺に綴じ穴を有する綴じ部を連設したものを、前記綴じ穴を貫通する前記綴じ具の開閉により、着脱自在とすることを特徴とするクリアファイル。
【請求項１５】
表紙部と、表紙部の内側に設けられた綴じ具と、１以上任意個数のクリアホルダとから構成されるクリアファイルであって、請求項５に記載のクリアホルダの開口部の辺を除く１辺に綴じ穴を有する綴じ部を連設したものを、前記綴じ穴を貫通する前記綴じ具の開閉により、着脱自在とすることを特徴とするクリアファイル。
【考案の詳細な説明】
【技術分野】
【０００１】
本考案は、書類等を収納するクリアホルダ、及びクリアホルダを用いたクリアブック並びにクリアファイルであって、再剥離可能な粘着部をクリアホルダの開口部付近に設けることにより、被収納物の散逸を防止するクリアホルダ、クリアブック及びクリアファイルに関する。
【背景技術】
【０００２】
軟質で透明な素材からなる２枚のシートを袋状にし、内側に、カタログ、新聞雑誌のスクラップ、その他の書類等を収納するクリアホルダ、クリアブックあるいはクリアファイルなどと呼ばれる事務用品が市販されている。収納された状態で閲覧できるので、広く用いられている。これらは、必ずしも明確な定義をもって使い分けられてはいないが、本明細書では、次のような意味で用いるものとする。
【０００３】
まず、クリアホルダとは、透明な素材によって成形される概長方形の薄い収納体であって、クリアポケットなどとも呼ばれる。
【０００４】
クリアブックとは、表表紙、背表紙、および裏表紙を有する表紙部の背表紙部分の裏側に、複数のクリアホルダを、その開口部以外の１辺を溶着等の方法によって固定して綴じ合わせたものである。
【０００５】
クリアファイルとは、綴じ穴付きのクリアホルダを複数綴じ合わせるものであり、表表紙、背表紙、および裏表紙を有する表紙部の背表紙部分の裏側に綴じ具を有している。この綴じ具は、クリアホルダの綴じ穴を介して、クリアホルダを着脱自在にするものである。
【０００６】
複数のクリアホルダを備えるクリアブック又はクリアファイルは、非常に便利な文具ではあるが、クリアホルダの開口部から被収納物が滑落しやすいという問題点があった。クリアブック又はクリアファイルを机から落とした際やクリアブック又はクリアファイルを入れた鞄が強く振られた際に、書類等が滑落して散逸してしまい、元通りの順番に収納するのに手間取ったり、書類等の一部がクリアホルダから出てクリアブック又はクリアファイルの表紙部の重さによって折れ曲がってしまったりすることがあった。
【０００７】
前記の問題の対策として、滑落を防止する機構を設けることが考えられ、現に、クリアホルダのシートに開口部を覆うような蓋を付した製品が市販されている。
クリアホルダの開口部をクリアブック又はクリアファイルの背表紙側に設けて背表紙によって滑落を防止する、いわゆるサイドイン型の製品も市販されている。
開口部をファスナーによって閉じるクリアホルダも製品化されている。
【０００８】
特許文献１には、クリアホルダの表面を三角形状に切り込むことにより、厚みを増さずに滑落を防止し、サイドイン型クリアホルダの有する収納時の不便を緩和する方法が開示されている。
【０００９】
【特許文献１】特開２００３−１７０６８７号公報
【考案の開示】
【考案が解決しようとする課題】
【００１０】
しかしながら、開口部を覆うような蓋を付したクリアシートには、蓋を固定する機構がなく、書類等の滑落を完全に防止することはできなかった。特に新聞のスクラップのように書類等の表面に凹凸があり、書類等の重量が１枚の紙と比して大きい場合に滑落防止が不完全であった。
また、サイドイン型のクリアブック又はクリアファイルは、書類の出し入れに手間取るという不便さがあった。
【００１１】
開口部をファスナーによって閉じるクリアホルダは、滑落は防止されるものの、ファスナーはシートに比して厚みがあり、クリアブック又はクリアファイルに複数のクリアホルダを綴じ込む場合には全体の厚みが大きすぎるため、例えばシステム手帳にクリアホルダを１枚だけ綴じ込むような利用に限定されていた。また、ファスナーの両端部分が、書類を出し入れする際の邪魔になるという問題もあった。
特許文献１に開示されているクリアホルダも、その表面に切込みがあるため、収納された書類を読む際に、切り込みと書類の文字が重なって読みづらいという問題があった。
【００１２】
本考案は、上記の問題点に鑑み、厚みを増さずに滑落を防止し、かつ、収納された書類の読み易さを損ねないクリアホルダを提供するとともに、かかるクリアホルダを利用したクリアブック及びクリアファイルを提供することを目的とする。
【課題を解決するための手段】
【００１３】
前記目的の達成のため、本考案のクリアホルダは、概長方形の上面シートと下面シートとを重ね合わせて３辺を接合し、１辺を開口させて開口部を設けたクリアホルダであって、前記開口部の辺に平行、かつ、前記開口部付近にある帯状領域内に、粘着および剥離の繰り返しを可能とする粘着部を設け、前記開口部の開閉を自在とすることを特徴とする。粘着部は、上面シート及び下面シート双方の内面に設けても、いずれか一方のシートの内面に設けてもよい。あるいは、いずれか一方のシートの開口部側の辺に蓋部を連設させて、この蓋部と他方のシートとが接する位置に粘着部を設けてもよい。
これにより、開口部を粘着させることによって、収納された書類等の滑落が防止される。
また、粘着剤は粘着と剥離の繰り返しができるものを用いるので、書類等を何回でも出し入れできる。
さらに、粘着剤を塗布するのは開口部付近なので、収納された書類等に粘着部が重なることはなく、書類等の読み易さを損ねることはない。
【００１４】
本考案のクリアホルダの複数を、背表紙に固定して閉じこんだクリアブック、および、本考案のクリアホルダに綴じ穴を設けて綴じ具で保持したクリアファイルも本考案に含まれる。
【考案の効果】
【００１５】
本考案のクリアホルダを使用すると、収納された書類等の滑落を防止できる。クリアブック又はクリアファイルを机から落としたり、クリアブック又はクリアファイルを入れた鞄を強く振ったりしても、収納された書類が滑落したり、表紙部の重さで折れ曲がったりしない。
書類の出し入れは、粘着部を剥がして行なう。この際、開口部は従来のクリアホルダと同様に上辺又は側辺に設けられ、開口部を開く通常の動作の中で粘着部が剥がれるので、従来のクリアホルダと同様に使うことができ、滑落防止のための操作を意識しなくてよい。  
粘着部は開口部付近に設けられているので、粘着部と書類等の文字とが重ならず、透明なクリアホルダに入れたままの状態で、中の書類を読むことができる。
【考案を実施するための最良の形態】
【００１６】
（第１の実施の形態）
第１の実施の形態のクリアブックについて図面を参照しながら説明する。
図面中、上面と下面とを区別する必要があるときは、上面シート４ａ、下面シート４ｂとか、（上面シート側の）粘着部９ａ、（下面シート側の）粘着部９ｂのように、数字の後にａ又はｂの文字を付加して表す。
【００１７】
図１のクリアブック１は、表紙部２に１以上任意個数のクリアホルダ３を固定したものである。
クリアホルダ３は、図２に示すように、長方形状の上面シート４ａと下面シート４ｂとを重ね合わせ、対応する４組の辺のうち１組の辺は接着せず開口部５とする。他の３組のうち底辺６及び側辺７においては上面シート４ａと下面シート４ｂとを接合し、残る１組の辺８を表紙部２の背表紙の裏側に固定させる。このように、クリアホルダ３は、１辺のみが開口したポケット状になっており、開口部５から書類等を出し入れする。上面シート４ａ及び下面シート４ｂは、その内面の開口部５付近、かつ、開口部５の辺と平行な帯状領域に粘着部９ａ及び９ｂが設けられている。ここで粘着部９ａ及び９ｂは、シート４に再剥離可能な粘着剤を塗布したものである。
なお、粘着剤として、シート表面に薄く塗布されても、必要な粘着力を発揮するものを用いることが好ましい。クリアホルダの厚みが大きくならないからである。
【００１８】
図２のＡ−Ａ’線によるクリアホルダ３の断面図を図３に示す。粘着部９ａと９ｂとを粘着させることによりクリアホルダ３に書類等が封入され、粘着部９ａと９ｂとを剥がすことにより書類等の出し入れが可能になる。図３の左側は、粘着部９を剥がした状態の断面図であり、右側は粘着させた状態の断面図である。
【００１９】
使用者が開口部５を開く際の力で自然に粘着部９が剥がれ、その後に書類を出し入れする。出し入れの後は、使用者がシート４の上から粘着部９に圧力を加えて再粘着させてもよいが、クリアブック１を閉じることにより自然に粘着部９に圧力がかかるので、使用者は意識して粘着部９を押さなくてもよい。
粘着により、書類等がクリアホルダ３に封入されるので、クリアブック１を机の上から床に落としたような場合でも、書類等の滑落が防止される。
【００２０】
粘着部９については、シート４の両方に設けず、図４に示すクリアホルダ１０ように上面シート４ａのみに粘着部９ａを設け、下面シート４ｂには粘着部を設けなくてもよい。この場合、粘着部９ａと下面シート４ｂとを粘着させることにより書類等がクリアホルダ１０に封入され、粘着部９ａと下面シート４ｂとを剥がすことにより書類等の出し入れが可能になる。
なお、下面シート４ｂのみに粘着部を設け、上面シート４ａには粘着部を設けないとしてもよい。要は、粘着剤およびシート素材の性質によっては、シート４両面に粘着部を設けなくても、いずれか１方のシート４に粘着部を設ければよいわけである。
【００２１】
（第２の実施の形態）
第２の実施の形態のクリアブックを図５に示す。クリアブック１１は、表紙部２にクリアホルダ１２を固定したものである。ここで、クリアホルダ１２は、図６に示すように下面シート１３ｂの開口部の辺に蓋部１４が連設されている点において、第１の実施形態のクリアホルダ３と異なる。
【００２２】
図６のＢ−Ｂ’線によるクリアホルダ１２の断面図を図７に示す。上面シート１３ａの外側には粘着部１５ａが、蓋部１４の上面シート１３ａに接する側には粘着部１５ｂがそれぞれ設けられている。粘着部１５ａと１５ｂとを粘着させることによりクリアホルダ１２に書類等が封入され、粘着部１５ａと１５ｂとを剥がすことにより書類等の出し入れが行なわれる。図７の左側は、粘着部１５を剥がした状態の断面図であり、右側は粘着させた状態の断面図である。
【００２３】
使用者が蓋部１４を開く際の力で自然に粘着部１５が剥がれ、その後に書類を出し入れする。出し入れの後は、使用者が蓋部１４の上から粘着部１５に圧力を加えて再粘着させてもよいが、クリアブック１１を閉じることにより自然に粘着部に圧力がかかるので、使用者は意識して粘着部を押さなくてもよい。
粘着により、書類等がクリアホルダ１２に封入される。
【００２４】
粘着部１５については、図８に示すクリアホルダ１６のように上面シート１３ａのみに粘着部１５ａを設け、蓋部１４には粘着部を設けなくてもよい。あるいは、図９に示すクリアホルダ１７のように蓋部１４のみに粘着部１５ｂを設け、上面シート１３ａには粘着部を設けなくてもよい。
【００２５】
（第３の実施の形態）
第３の実施の形態のクリアファイルを図１０に示す。クリアファイル１８は、表紙部１９に綴じ具２０を備えている。クリアホルダ２１には綴じ穴２２が設けられており、綴じ穴２２を貫通する綴じ具２０が開閉することにより、クリアホルダ２１がクリアファイル１８に着脱される。
クリアホルダ２１には図１１に示すように複数の綴じ穴２２を有する綴じ部２３が付されている。クリアホルダ２１は、底辺２４及び側辺２５において上面シート２６ａと下面シート２６ｂとが接合しており、開口部２７から書類等を出し入れする。  
【００２６】
図１２は、図１１のＣ−Ｃ’線によるクリアホルダ２１の粘着部を剥がした状態と粘着した状態の断面図である。上面シート２６ａには粘着部２８ａが、下面シート２６ｂには粘着部２８ｂがそれぞれ付されている。粘着部２８ａと２８ｂとを、粘着させることによりクリアホルダ２１に書類等が封入され、剥がすことにより書類等の出し入れが行なわれる。
【００２７】
使用者が開口部２７を開く際の力で自然に粘着部２８が剥がれ、その後に書類を出し入れする。出し入れの後は、使用者がシート２６の上から粘着部２８に圧力を加えて再粘着させてもよく、クリアファイル１８を閉じることにより自然に粘着部２８に圧力をかけてもよい。この際、綴じ込んだクリアホルダ２１の枚数がクリアファイル１８の表紙部１９の厚みに対し少ない場合には、使用者がシート２６の上から粘着部２８に圧力を加えることが望ましい。
粘着により、書類等がクリアホルダ２１に封入される。
【００２８】
粘着部２８については、シート２６の両方に粘着部を設けず、図１３に示すクリアホルダ２９のように上面シート２６ａのみに粘着部２８ａを設け、下面シート２６ｂには粘着部を設けなくてもよい。
なお、下面シート２６ｂのみに粘着部を設け、上面シート２６ａには粘着部を設けないとしてもよい。
【００２９】
（第４の実施の形態）
図１４に示すクリアファイル３０は、第３の実施の形態におけるものと比し、クリアホルダ３１が蓋部を備えている点で相違する。
クリアホルダ３１は、図１５に示すように、下面シート３２ｂの上辺に蓋部３３が連設されている。
【００３０】
図１６は、図１５のＤ−Ｄ’線によるクリアホルダ３１の粘着部を剥がした状態と粘着した状態の断面図である。上面シート３２ａの表側には粘着部３４ａが、蓋部３３の上面シート３２ａに接する側には粘着部３４ｂがそれぞれ設けられている。
【００３１】
使用者が蓋部３３を開く際の力で自然に粘着部３４が剥がれ、その後に書類を出し入れする。出し入れの後は、使用者が蓋部３３の上から粘着部３４に圧力を加えて再粘着させてもよく、クリアファイル３０を閉じることにより自然に粘着部３４に圧力をかけてもよい。この際、綴じ込んだクリアホルダ３１の枚数がクリアファイル３０の表紙の厚みに対し少ない場合には、使用者が蓋部３３の上から粘着部３４に圧力を加えることが望ましい。
粘着により、書類等がクリアホルダ３１に封入される。
【００３２】
粘着部３４については、図１７に示すクリアホルダ３５のように上面シート３２ａのみに粘着部３４ａを設け、蓋部３３には粘着部を設けなくてもよい。あるいは、図１８に示すクリアホルダ３６のように蓋部３３のみに粘着部３４ｂを設け、上面シート３２ａには粘着部を設けなくてもよい。
【００３３】
前記した実施の形態はすべて例示であって、実用新案登録請求の範囲内において種々の変形が可能である
したがって、例えば、第２の実施の形態及び第４の実施の形態において、下面シート側に蓋部が設けられているものとしたが、上面シート側に蓋部が設けられていてもかまわない。
【００３４】
また、底辺と側辺において上面シートと下面シートが接合しており、上辺を開口させて書類等の出し入れを行うものとしたが、底辺と上辺において上面シートと下面シートが接合しており、書類等の出し入れを開口した側辺から行なうこととしてもよい。要は、長方形状のシートのいずれか１辺が開口部となっていればよい。
【００３５】
また、粘着部は帯状領域の全体に付されていなくても、図１９に例示するように帯状領域３７の内部に間歇的に粘着部３８ａ（３８ｂ）を付してもよい。要は、クリアブックまたはクリアファイルが落下などしても、クリアホルダ内に収納された書類が滑落しない程度の粘着力が発揮できればよい。
【００３６】
さらに、前記した実施の形態を説明するための図では、長方形状のシートの長辺が表紙部に固定されている。しかし、シートの短辺を表紙部に固定してもよい。
第３および第４の実施の形態を説明する図において、綴じ穴の個数は、クリアホルダ１枚につき２個であるが、２個に限定されないことは言うまでもない。
【産業上の利用可能性】
【００３７】
従来のクリアホルダの使い勝手を保ちつつ、収納された書類の滑落を防止できることから、収納された書類を頻繁に読んだり、クリアブック又はクリアファイルを持ち歩いたりする使用者からの需要があると考えられる。
【図面の簡単な説明】
【００３８】
【図１】第１の実施形態のクリアブックを示す図である。
【図２】第１の実施形態のクリアホルダを示す図である。
【図３】第１の実施形態のクリアホルダの断面図である。
【図４】第１の実施形態の他のクリアホルダの断面図である。
【図５】第２の実施形態のクリアブックを示す図である。
【図６】第２の実施形態のクリアホルダを示す図である。
【図７】第２の実施形態のクリアホルダの断面図である。
【図８】第２の実施形態の他のクリアホルダの断面図である。
【図９】第２の実施形態の他のクリアホルダの断面図である。
【図１０】第３の実施形態のクリアファイルを示す図である。
【図１１】第３の実施形態のクリアホルダを示す図である。
【図１２】第３の実施形態のクリアホルダの断面図である。
【図１３】第３の実施形態の他のクリアホルダの断面図である。
【図１４】第４の実施形態のクリアファイルを示す図である。
【図１５】第４の実施形態のクリアホルダを示す図である。
【図１６】第４の実施形態のクリアホルダの断面図である。
【図１７】第４の実施形態の他のクリアホルダの断面図である。
【図１８】第４の実施形態の他のクリアホルダの断面図である。
【図１９】帯状領域の一部に粘着部を付す一例を示す図である。
【符号の説明】
【００３９】
１  クリアブック
２  表紙部
３  クリアホルダ
７  開口部
８（８ａ、８ｂ）  シート
９（９ａ、９ｂ）  粘着部
１０  クリアホルダ
１１  クリアブック
１２  クリアホルダ
１３（１３ａ、１３ｂ）  シート
１４  蓋部
１５（１５ａ、１５ｂ）  粘着部
１６  クリアホルダ
１７  クリアホルダ
１８  クリアファイル
１９  表紙部
２０  綴じ具
２１  クリアホルダ
２２  綴じ穴
２３  綴じ部
２６（２６ａ、２６ｂ）  シート
２７  開口部
２８（２８ａ、２８ｂ）  粘着部
２９  クリアホルダ
３０  クリアファイル
３１  クリアホルダ
３２（３２ａ、３２ｂ）  シート
３３  蓋部
３４（３４ａ、３４ｂ）  粘着部
３５  クリアホルダ
３６  クリアホルダ
３７  帯状領域
３８（３８ａ、３８ｂ）  粘着部
【図１】
0003139118.tif 000003
【図２】
0003139118.tif 000004
【図３】
0003139118.tif 000005
【図４】
0003139118.tif 000006
【図５】
0003139118.tif 000007
【図６】
0003139118.tif 000008
【図７】
0003139118.tif 000009
【図８】
0003139118.tif 000010
【図９】
0003139118.tif 000011
【図１０】
0003139118.tif 000012
【図１１】
0003139118.tif 000013
【図１２】
0003139118.tif 000014
【図１３】
0003139118.tif 000015
【図１４】
0003139118.tif 000016
【図１５】
0003139118.tif 000017
【図１６】
0003139118.tif 000018
【図１７】
0003139118.tif 000019
【図１８】
0003139118.tif 000020
【図１９】
0003139118.tif 000021